(57)【要約】【課題】電気製品から発生する蒸気が収納家具本体に直接当たることを防止する収納家具を提供すること。【解決手段】下方からの蒸気を受ける面に蒸気吸収材６を設け、電気製品から発生した蒸気を蒸気吸収材６で結露させ、結露水を蒸気吸収材６で吸収することにより、収納家具５に直接蒸気が当たることを防止し、収納家具５の損傷や汚れが防止できる。【選択図】図１
2005198807.tif 000002
【特許請求の範囲】
【請求項１】
蒸気を発生する電気製品を収納する収納家具において、少なくとも家電収納部の上板の下方に蒸気吸収材を設置したことを特徴とする収納家具。
【請求項２】
蒸気吸収材を板状に形成した多孔質の無機材料で構成した請求項１に記載の収納家具。
【請求項３】
蒸気吸収材を板状に形成した吸湿性を有する高分子材料で構成した請求項１に記載の収納家具。
【請求項４】
蒸気吸収材を着脱自在とした請求項１〜３のいずれか１項に記載の収納家具。
【請求項５】
蒸気吸収材を巻き取り可能な帯状の軟質材料で構成し、家電収納部上部の両角部に設置した巻き取り機構に差し渡して巻き付け、巻き取り機構の操作で使用部分を随時変更可能とした請求項１に記載の収納家具。
【請求項６】
蒸気吸収材を乾燥する乾燥装置を備えた請求項１〜５のいずれか１項に記載の収納家具。
【発明の詳細な説明】
【技術分野】
【０００１】
本発明は特に使用中、蒸気を発生する電気製品などを収納する収納家具に関するものである。
【背景技術】
【０００２】
従来、この種の蒸気を発生する電気製品などを収納する収納家具は、収納庫部に引き出し可能なスライド棚を設け、その上に電気製品などを載置していた（例えば、特許文献１参照）。
【０００３】
図５において、収納庫１下部にスライド棚２が家電品置場で、このスライド棚２に炊飯器３、湯沸かしジャーポット４などを置き、調理中または湯沸かし中にはこのスライド棚２を引き出して使用することで収納庫１の結露を防ぎ、収納庫１が長期間傷まずに使えるというものであった。
【特許文献１】特開平１１−１３７３５５号公報
【発明の開示】
【発明が解決しようとする課題】
【０００４】
しかしながら、上記従来の収納家具では、蒸気を発生する電気製品を置くスライド棚を引き出さないで使用すると、収納庫上部に結露が発生し、収納家具をいためるとともに結露残りにより収納庫上部が汚れるというものであった。そこで蒸気の出る家電品を使う時、そのたびに家電品を載置したスライド棚と手前に引き出して使用しなければならず、面倒であると同時に作業動線上通路の妨げにもなり危険であるという課題があった。
【０００５】
本発明は、前記従来の課題を解決するもので、蒸気を発生する電気製品を収納し、そのままの状態で使用できる収納家具を提供することを目的とする。
【課題を解決するための手段】
【０００６】
前記従来の課題を解決するために、本発明の収納家具は、下方からの蒸気を受けるキャビネット庫内の底面及び側面の内側を蒸気吸収材で覆ったものである。
【０００７】
これによって、蒸気を発生する電気製品を使用しても、蒸気吸収材が蒸気を吸収し収納家具を保護するとともに作業通路の安全確保・調理作業のわずらわしさをなくすものである。
【発明の効果】
【０００８】
本発明の収納家具は、電気製品から発生する蒸気が周囲の収納庫に当たり、収納庫を損傷したり汚したりすることを防止する蒸気吸収材を配設した収納家具を提供するものである。
【発明を実施するための最良の形態】
【０００９】
第１の発明は蒸気を発生する電気製品を収納する収納家具において、少なくとも家電収納部の上板の下方に蒸気吸収材を設置することにより、電気製品から発生する蒸気は蒸気吸収材に吸収されるため、収納庫の上板等収納家具に結露すること防ぐことができるため、収納家具が結露水で損傷することを防ぐことができる。
【００１０】
第２の発明は、特に、第１の発明の蒸気吸収材を板状に形成した多孔質の無機材料で構成することにより、電気製品から発生する蒸気を効率的に吸収するとともに、家電品から発生する熱に対しても対応力が高いため、安全性の高い収納家具を提供することができる。
【００１１】
第３の発明は、特に、第１の発明の蒸気吸収材を板状に形成した吸湿性を有する高分子材料で構成したことにより、電気製品から発生する蒸気を効率的に吸収するとともに、吸収材の耐久性と取り扱い性の向上を図ることができ、耐久性の高い収納家具を提供することができる。
【００１２】
第４の発明は、特に、第１〜３のいずれか１つの発明の蒸気吸収材を着脱自在とすることにより、蒸気吸収材を取り外して清掃、メンテナンスを容易にすることができるため、使い勝手の良い収納家具を提供することができる。
【００１３】
第５の発明は、特に、第１の発明の蒸気吸収材を蒸気吸収材を巻き取り可能な帯状の軟質材料で構成し、家電収納部上部の両角部に設置した巻き取り機構に差し渡して巻き付け、巻き取り機構の操作で使用部分を随時変更可能とすることにより、電気製品を連続的に使用した場合に、新たに蒸気吸収材の乾燥している部分に変更して使用することにより、連続的に蒸気を発生させても収納家具へのに結露を防止することができる。
【００１４】
第６の発明は、第１〜５のいずれか１つの発明の蒸気吸収材を乾燥する乾燥装置を備えることにより、蒸気吸収材を短時間で乾燥することができるため、より効率的に乾燥可能となり連続して蒸気の出る電気製品を使用することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における収納家具の全体斜視図を示すものである。
【００１７】
図１において、収納家具５は木製部材の左右の側板５ａと底板５ｂと、後板５ｃと、上板５ｄ、天板５ｅで構成されており、上板より下方が家電収納部５ｆとなっている。
【００１８】
家電収納部５ｆの内面を板状に形成した珪藻土を主構成材とした蒸気吸収材６をそれぞれ両側板５ａ、後板５ｃ、上板５ｄの内面に取付け、家電収納部５ｆの壁面を覆っている。
【００１９】
家電収納部５ｆには蒸気の発生する家電製品である炊飯器７とジャーポット８が設置されており、これらは家電収納部５ｆ内で使用可能となっている。
【００２０】
なお、実施の形態１と同一符号のものは同一構造を有し説明は省略する。
【００２１】
以上のように構成された収納家具５について、以下その動作、作用を説明する。
【００２２】
家電収納部に設置された蒸気が発生する電気製品の炊飯器７あるいはジャーポット８を使用した場合、電気製品から発生した蒸気は、家電収納部の上板に設置した蒸気吸収材６に当たり一部は室内に拡散され、一部は蒸気吸収材６の表面上で結露して水滴となり、蒸気吸収材６の内部に吸収される。また一部の蒸気は両側板５ａ及び後板５ｄに取り付けた蒸気吸収材６の表面で結露し内部に吸収される。電気製品の蒸気の発生はお湯が沸騰した時点の短時間で終了するため、上記の作用も短時間で終了する。
【００２３】
以上のように電気製品から発生した蒸気はほとんど上記吸収材６に吸収され、収納家具の表面に結露することがないため、収納家具が蒸気により損傷を受けることがなく、また汚れることも防止できる。蒸気吸収材は不燃物の珪藻土を主構成材としているため電気製品からの失火の延焼を防ぐの役目も果たしている。
【００２４】
なお、本実施の形態においては蒸気吸収材は珪藻土を主構成材としたものを使用したが、これに限るものではなく、多孔質セラミックや高吸湿性高分子材料からなる繊維等を主構成部材とするものを蒸気吸収材として使用することが考えられる。
【００２５】
（実施の形態２）
図２は、本発明の第２の実施の形態の収納家具の全体斜視図を示すものである。
【００２６】
図２において、実施の形態１と異なる点は、上板５ｅ下面の両側板５ａにＬ字形状の受け金具１０を取付け、高吸湿性高分子材料からなる繊維を板状に形成した蒸気吸収材９を受け金具１０上をスライドして設置した構成である。
【００２７】
なお、実施の形態１と同一符号のものは同一構造を有し説明は省略する。
【００２８】
以上のように構成された収納家具は、蒸気吸収材９は蒸気吸収材９は受け金具１０上をスライド自在に設置されており容易に着脱できるため、汚れが目立つようになるとか、結露水の吸収が悪くなると簡単取り外してメンテナンスしたり交換することができ、その機能をいつまでも維持することが出来る。
【００２９】
なお、本実施の形態においては蒸気吸収材は高吸湿性高分子材料からなる繊維を主構成部材としたものを使用したが、これに限るものではなく、実施の形態１で使用した珪藻土を主構成材とするものや、多孔質セラミックを主構成部材とするものを使用することが考えられる。
【００３０】
（実施の形態３）
図３は、本発明の第３の実施の形態の収納家具の全体斜視図を示し。図４はその側方断面図を示すものであるである。
【００３１】
図３および４において、実施の形態１と異なる点は、上板５ｅ下面にファンを主構成部材とした乾燥装置１１を設置し、乾燥装置１１の下方に位置する両側板５ａ取り付けた軸受け金具を介して回転自在な円筒状の巻き取り機構１２を左右に各々設置し、高吸湿性高分子材料からなる帯状の不織布を閉ループ状に構成した蒸気吸収材１３を左右の巻き取り機構１２に差し渡して設置した構成である。
【００３２】
なお、実施の形態１と同一符号のものは同一構造を有し説明は省略する。
【００３３】
以上のように構成された収納家具は、炊飯器７、ジャーポット８から発生した蒸気は閉ループ状の蒸気吸収材１３の下側に位置した部分の表面に結露し蒸気吸収材１３内部に吸収される、その状態で巻き取り機構１２を回転させ蒸気吸収材１３の上下を入れ替えると、下側には乾燥した蒸気吸収材１３が配置され引き続き使用することができる。
【００３４】
同時に、上側に移動した結露水を吸収した蒸気吸収材１３は、乾燥装置１１を運転することにより短時間に乾燥することができ、再び使用可能な状態になる。
【００３５】
以上の操作を繰り返すことにより、蒸気吸収材は連続的に機能を発揮することができ、電気製品を連続的に使用しても収納家具に損傷を与えることを防止することができるものである。
【産業上の利用可能性】
【００３６】
以上のように、本発明にかかる収納家具は、蒸気の出る電器製品を主な対象としているが産業機器や医療機器の分野における用途にも適用できる。
【図面の簡単な説明】
【００３７】
【図１】本発明の実施の形態１における収納家具の斜視図
【図２】本発明の実施の形態２における収納家具の斜視図
【図３】本発明の実施の形態３における収納家具の側方断細図
【図４】本発明の実施の形態３における収納家具の斜視図
【図５】従来例の収納家具の斜視図
【符号の説明】
【００３８】
５  収納家具
５ｆ  家電収納部
６、９、１３  蒸気吸収材
１１  乾燥装置
１２  巻き取り機構
【図１】
2005198807.tif 000003
【図２】
2005198807.tif 000004
【図３】
2005198807.tif 000005
【図４】
2005198807.tif 000006
【図５】
2005198807.tif 000007